(57)【要約】【課題】  ユーザの自由な要求を満たす店を探すことが可能な店検索システムを提供する。【解決手段】  検索システムサーバは携帯端末から送られてきた位置データ及び希望条件情報を基に、ユーザの現在位置周辺のサーバ登録店へユーザからの希望条件情報を提示する。サーバ登録店はユーザの希望に沿った広告情報を検索システムサーバへ提示する。検索システムサーバは他店の広告情報をＷｅｂ上で公開する。サーバ登録店は、他店の状況を見ながらさらによりよい価格等を提供できる場合、最初に提示した広告を変更する。検索システムサーバはユーザに対してサーバ登録店からの広告情報をＷｅｂ上等で公開している。予め設定された制限時間後、検索システムサーバはこれまでサーバ登録店から提示された複数の広告情報をユーザの携帯端末へ送信する。【選択図】      図４
2008059103.tif 000002
【特許請求の範囲】
【請求項１】
ＧＰＳ（Ｇｌｏｂａｌ  Ｐｏｓｉｔｉｏｎｉｎｇ  Ｓｙｓｔｅｍ）による位置情報取得機能を含む携帯端末に当該端末の現在位置周辺の店を検索する店検索システムであって、
前記携帯端末は、Ｗｅｂ上のサーバに当該端末のユーザ情報及び前記店を検索する際の希望の条件を送信する手段を有し、
前記Ｗｅｂ上のサーバに登録されかつ前記携帯端末の現在位置周辺の店の情報端末は、前記希望の条件に沿った広告情報を前記携帯端末に送信する手段を有することを特徴とする店検索システム。
【請求項２】
前記広告情報は、少なくともテキスト及び画像データによって構成され、
前記携帯端末は、少なくとも前記Ｗｅｂ上のサーバへのアクセス及び電子メール受信によって当該広告情報を参照可能としたことを特徴とする請求項１記載の店検索システム。
【請求項３】
前記希望の条件は、前記携帯端末に対して任意のフォーマットにて入力可能としたことを特徴とする請求項１または請求項２記載の店検索システム。
【請求項４】
他店からの広告情報を前記Ｗｅｂ上のサーバへのアクセスにて参照自在とし、
前記広告情報を前記他店からの広告情報に基づいて変更自在としたことを特徴とする請求項１から請求項３のいずれか記載の店検索システム。
【請求項５】
前記広告情報は、予めグループ分けされた店各々からの情報であることを特徴とする請求項１から請求項４のいずれか記載の店検索システム。
【請求項６】
前記広告情報をＰｏｃ（Ｐｕｓｈ  ｔｏ  ｔａｌｋ  ｏｖｅｒ  ｃｅｌｌｕｌａｒ）サービスにて前記携帯端末に配布することを特徴とする請求項１と請求項３と請求項５とのうちのいずれか記載の店検索システム。
【請求項７】
ＧＰＳ（Ｇｌｏｂａｌ  Ｐｏｓｉｔｉｏｎｉｎｇ  Ｓｙｓｔｅｍ）による位置情報取得機能を含む携帯端末に当該端末の現在位置周辺の店を検索する店検索方法であって、
前記携帯端末が、Ｗｅｂ上のサーバに当該端末のユーザ情報及び前記店を検索する際の希望の条件を送信し、
前記Ｗｅｂ上のサーバに登録されかつ前記携帯端末の現在位置周辺の店の情報端末が、前記希望の条件に沿った広告情報を前記携帯端末に送信することを特徴とする店検索方法。
【請求項８】
ＧＰＳ（Ｇｌｏｂａｌ  Ｐｏｓｉｔｉｏｎｉｎｇ  Ｓｙｓｔｅｍ）による位置情報取得機能を含む携帯端末に当該端末の現在位置周辺の店を検索する店検索方法であって、
前記携帯端末が、Ｗｅｂ上のサーバに当該端末のユーザ情報及び前記店を検索する際の希望の条件を送信する処理を実行し、
前記Ｗｅｂ上のサーバに登録されかつ前記携帯端末の現在位置周辺の店の情報端末が、前記希望の条件に沿った広告情報を前記携帯端末に送信する処理を実行することを特徴とする店検索方法。
【請求項９】
前記広告情報が、少なくともテキスト及び画像データによって構成され、
前記携帯端末が、少なくとも前記Ｗｅｂ上のサーバへのアクセス及び電子メール受信によって当該広告情報を参照可能としたことを特徴とする請求項７または請求項８記載の店検索方法。
【請求項１０】
前記希望の条件が、前記携帯端末に対して任意のフォーマットにて入力可能としたことを特徴とする請求項７から請求項９のいずれか記載の店検索方法。
【請求項１１】
他店からの広告情報を前記Ｗｅｂ上のサーバへのアクセスにて参照自在とし、
前記広告情報を前記他店からの広告情報に基づいて変更自在としたことを特徴とする請求項７から請求項１０のいずれか記載の店検索方法。
【請求項１２】
前記広告情報が、予めグループ分けされた店各々からの情報であることを特徴とする請求項７から請求項１１のいずれか記載の店検索方法。
【請求項１３】
前記広告情報をＰｏｃ（Ｐｕｓｈ  ｔｏ  ｔａｌｋ  ｏｖｅｒ  ｃｅｌｌｕｌａｒ）サービスにて前記携帯端末に配布することを特徴とする請求項７と請求項８と請求項１０と請求項１２とのうちのいずれか記載の店検索方法。
【発明の詳細な説明】
【技術分野】
【０００１】
本発明は店検索システム及びそれに用いる店検索方法に関し、特に携帯電話機等の携帯端末を用いた店情報の検索に関する。
【背景技術】
【０００２】
近年、携帯電話機等の携帯端末においては、多機能化が図られ、インタネットへのアクセスが可能となってきている。それに伴って、携帯端末のユーザが現在地近辺の店の情報をインタネット等を介して入手することが可能となっており、その入手方法としては様々な方法が提案されている。
【０００３】
この種の入手方法としては、携帯端末のユーザが、全く土地勘のない地域においても、ユーザの欲求を満たす地域情報を得る方法（例えば、特許文献１参照）、携帯端末の位置データと携帯端末からの商品データとに基づいて該当する商品を取り扱う最寄りの店舗とその商品の在庫情報とを提供する方法（例えば、特許文献２参照）、ユーザの現在位置とユーザの現在位置付近に存在する所望の店とを地図上に表示する方法（例えば、特許文献３参照）等が提案されている。
【０００４】
【特許文献１】特開２００２−０９１９７４号公報
【特許文献２】特開２００２−１５７５０８号公報
【特許文献３】特開２００３−０５７０６６号公報
【発明の開示】
【発明が解決しようとする課題】
【０００５】
しかしながら、上述した従来の店情報の入手方法では、ユーザが店を検索する際、情報提供者からの決められた情報のみを閲覧することしかできず、ユーザの自由な要求を満たす店を探すことができないという問題がある。
【０００６】
そこで、本発明の目的は上記の問題点を解消し、ユーザの自由な要求を満たす店を探すことができる店検索システム及びそれに用いる店検索方法を提供することにある。
【課題を解決するための手段】
【０００７】
本発明による店検索システムは、ＧＰＳ（Ｇｌｏｂａｌ  Ｐｏｓｉｔｉｏｎｉｎｇ  Ｓｙｓｔｅｍ）による位置情報取得機能を含む携帯端末に当該端末の現在位置周辺の店を検索する店検索システムであって、
前記携帯端末は、Ｗｅｂ上のサーバに当該端末のユーザ情報及び前記店を検索する際の希望の条件を送信する手段を有し、
前記Ｗｅｂ上のサーバに登録されかつ前記携帯端末の現在位置周辺の店の情報端末は、前記希望の条件に沿った広告情報を前記携帯端末に送信する手段を備えている。
【０００８】
本発明による第１の店検索方法は、ＧＰＳ（Ｇｌｏｂａｌ  Ｐｏｓｉｔｉｏｎｉｎｇ  Ｓｙｓｔｅｍ）による位置情報取得機能を含む携帯端末に当該端末の現在位置周辺の店を検索する店検索方法であって、
前記携帯端末が、Ｗｅｂ上のサーバに当該端末のユーザ情報及び前記店を検索する際の希望の条件を送信し、
前記Ｗｅｂ上のサーバに登録されかつ前記携帯端末の現在位置周辺の店の情報端末が、前記希望の条件に沿った広告情報を前記携帯端末に送信している。
【０００９】
本発明による第２の店検索方法は、ＧＰＳ（Ｇｌｏｂａｌ  Ｐｏｓｉｔｉｏｎｉｎｇ  Ｓｙｓｔｅｍ）による位置情報取得機能を含む携帯端末に当該端末の現在位置周辺の店を検索する店検索方法であって、
前記携帯端末が、Ｗｅｂ上のサーバに当該端末のユーザ情報及び前記店を検索する際の希望の条件を送信する処理を実行し、
前記Ｗｅｂ上のサーバに登録されかつ前記携帯端末の現在位置周辺の店の情報端末が、前記希望の条件に沿った広告情報を前記携帯端末に送信する処理を実行している。
【００１０】
すなわち、本発明の店検索システムは、ＧＰＳ（Ｇｌｏｂａｌ  Ｐｏｓｉｔｉｏｎｉｎｇ  Ｓｙｓｔｅｍ）による位置情報取得機能を持つ携帯端末を所有しているユーザが、現在位置周辺の飲食店を検索する際に、Ｗｅｂ上のサーバに携帯端末を通してユーザ情報及び希望の条件を入力後、Ｗｅｂ上のサーバに登録されている現在位置周辺の店の情報端末がユーザの希望にそった広告を各ユーザに対して直接宣伝している。
【００１１】
店からの広告情報はテキスト及び画像データによって構成され、ユーザは携帯端末を通して、Ｗｅｂへのアクセス及びメール受信等によってその広告情報を参照可能となっている。また、ユーザが希望の条件を携帯端末に入力する際、あいまいな表現も含む自由なフォーマットで入力可能となっている。
【００１２】
ユーザが携帯端末に表示された複数の店の情報から一つ希望の店を選択すると、携帯端末からは選択情報がその選択された店の情報端末に通知される。これを行うことによって、ユーザは多数ある現在位置周辺の飲食店の中から希望の条件に沿った店を見つけることが可能となる。
【００１３】
また、携帯端末では店の情報端末からの広告情報をリアルタイムに確認することが可能であり、入力フォーマットが自由なフォーマットのため、ユーザ独自の考えを店側へ伝えることが可能となる。さらに、携帯端末には他店の情報も公開されるので、現在位置周辺の店において、競合する他店よりも優位な広告情報へ変化させることも可能となる。
【００１４】
上記のように、本発明の店検索システムでは、サーバに登録された店が、携帯端末のユーザ各々のニーズにあった要求を満たすような情報を提供することによって、携帯端末のユーザは多数ある周辺飲食店の中から希望の条件に沿った店を検索することが可能となる。
【００１５】
また、本発明の店検索システムでは、店からの広告情報がＷｅｂ上で公開されることによって、ユーザがその広告情報を携帯端末を通してリアルタイムに確認することが可能となる。
【００１６】
さらに、本発明の店検索システムでは、携帯端末からの希望の条件入力が自由なフォーマットのため、携帯端末のユーザ独自の考えを店側へ伝えることが可能となる。
【００１７】
さらにまた、本発明の店検索システムでは、Ｗｅｂ上において他店の情報も公開されることで、自店の広告情報を競合する他店よりも優位な広告情報へ変化させることも可能となる。
【発明の効果】
【００１８】
本発明は、上記のような構成及び動作とすることで、ユーザの自由な要求を満たす店を探すことができるという効果が得られる。
【発明を実施するための最良の形態】
【００１９】
次に、本発明の実施例について図面を参照して説明する。図１は本発明の一実施例による店検索システムの構成を示すブロック図である。図１において、本発明の一実施例による店検索システムは、ＧＰＳ（Ｇｌｏｂａｌ  Ｐｏｓｉｔｉｏｎｉｎｇ  Ｓｙｓｔｅｍ）衛星１と、携帯電話機等の携帯端末２と、検索システムサーバ３と、ＰＣ（Ｐｅｒｓｏｎａｌ  Ｃｏｍｐｕｔｅｒ）等の店（Ｂ〜Ｄ）情報端末４ａ〜４ｃとから構成されている。
【００２０】
携帯端末２はＧＰＳ衛星１の信号を使ってユーザＡの現在位置情報を取得する機能を有する。検索システムサーバ３はインタネット１００（Ｗｅｂ）上にあり、ユーザＡの位置情報、希望の条件情報、登録されている店（Ｂ〜Ｄ）情報端末４ａ〜４ｃからの広告情報を入手し、それぞれ店（Ｂ〜Ｄ）情報端末４ａ〜４ｃ、ユーザＡの携帯端末２への表示及びデータ展開を行う。
【００２１】
図２は図１の携帯端末２の構成例を示すブロック図である。図２において、携帯端末２はＣＰＵ（Ｃｅｎｔｒａｌ  Ｐｒｏｃｅｓｓｉｎｇ  Ｕｎｉｔ）２１と、ＲＯＭ（Ｒｅａｄ  Ｏｎｌｙ  Ｍｅｍｏｒｙ）２２と、ＲＡＭ（Ｒａｎｄｏｍ  Ａｃｃｅｓｓ  Ｍｅｍｏｒｙ）２３と、各種キーを備えた操作部２４と、液晶画面等の表示部２５と、位置情報データ部２６と、無線部２７とから構成されている。
【００２２】
ＣＰＵ２１は演算処理を行う機能を有し、携帯端末２全体の制御を行う。ＲＯＭ２２はＣＰＵ２１の制御プログラムを格納するメモリであり、ＲＡＭ２３はＣＰＵ２１が制御プログラムの実行時に作業領域として使用されるメモリである。操作部２４はユーザＡが希望の条件を入力する際に使用する各種キーであり、表示部２５は広告情報等を表示する液晶画面等を備えている。
【００２３】
位置情報データ部２６は図示せぬＧＰＳ信号受信アンテナを含むＧＰＳ無線部２６１と、ＧＰＳ無線部２６１からの信号を位置情報データに変換するＧＰＳデコーダ部２６２とからなり、ＧＰＳ信号を用いて現在の位置情報を取得する。無線部２７は検索システムサーバ３にアクセスして携帯端末２の位置情報及びユーザＡから入力された希望の条件情報を送信し、情報のダウンロード及びメッセージの受信を行う機能を有している。
【００２４】
図３は図１の携帯端末２と検索システムサーバ３との接続状態を示すブロック図である。図３において、携帯端末２は基地局５、パケット網２００、パケット網ゲートウェイ６、インタネット１００を通して検索システムサーバ３からデータを取出す。
【００２５】
図４は本発明の一実施例による店検索システムの動作を示すシーケンスチャートである。これら図１〜図４を参照して本発明の一実施例による店検索システムの動作について説明する。
【００２６】
まず、携帯端末２はＧＰＳ受信部２６１でＧＰＳ信号を受信し、その受信信号をＧＰＳデコーダ部２６２で位置データに変換してユーザＡの現在位置の情報を入手する。ユーザＡが操作部２４を通して店の検索を行う際の希望の条件を入力すると、携帯端末２はそれらの位置データ及び希望条件情報を検索システムサーバ３へ無線部２７を通して送信する（図４のａ１）。尚、ユーザＡによる希望の条件入力は特に規定のフォーマットでなくとも、自由なフォーマットであってもよい。
【００２７】
検索システムサーバ４は携帯端末２から送られてきた位置データ及び希望条件情報を基に、ユーザＡの現在位置周辺のサーバ登録店［店（Ｂ〜Ｄ）情報端末４ａ〜４ｃ］へユーザＡからの希望条件情報を提示する（図４のａ２）。
【００２８】
サーバ登録店［店（Ｂ〜Ｄ）情報端末４ａ〜４ｃ］は、ユーザＡの希望に沿った広告情報（テキスト及び画像データを含み、価格、サービス内容等が記載された情報）を検索システムサーバ３へ提示する（図４のａ３）。ここで、サーバ登録店［店（Ｂ〜Ｄ）情報端末４ａ〜４ｃ］は他店の広告情報をＷｅｂ上で見ることができるために、検索システムサーバ３は他店の広告情報をＷｅｂ上で公開する（図４のａ４）。
【００２９】
サーバ登録店［店（Ｂ〜Ｄ）情報端末４ａ〜４ｃ］は、他店の状況を見ながらさらによりよい価格等を提供できる場合、最初に提示した広告を変更する（図４のａ５）。検索システムサーバ３は、ユーザＡに対して、サーバ登録店［店（Ｂ〜Ｄ）情報端末４ａ〜４ｃ］からの広告情報をＷｅｂ上等で公開している（図４のａ６）。
【００３０】
予め設定された制限時間後、検索システムサーバ３は、これまでサーバ登録店［店（Ｂ〜Ｄ）情報端末４ａ〜４ｃ］から提示された複数の広告情報をユーザＡの携帯端末２へ送信する（図４のａ７）。ユーザＡが検索システムサーバ３から送られてきた複数の広告情報を基に予約する店を選択すると、携帯端末２は選択情報を検索システムサーバ３に送信し、検索システムサーバ３は携帯端末２からの選択情報を該当するサーバ登録店［店（Ｂ〜Ｄ）情報端末４ａ〜４ｃ］へ送信する（図４のａ９）。
【００３１】
このように、本実施例では、登録された店（Ｂ〜Ｄ）情報端末４ａ〜４ｃが、各ユーザのニーズにあった要求を満たすような情報（広告情報）を検索システムサーバ３を介して携帯端末２に提供することによって、ユーザＡが現在位置周辺に多数ある飲食店の中から希望の条件にそった飲食店を見つけることができる。
【００３２】
また、本実施例では、店（Ｂ〜Ｄ）情報端末４ａ〜４ｃからの広告情報が検索システムサーバ３を介してＷｅｂ上で公開されることによって、広告情報をユーザＡがリアルタイムに確認することができる。
【００３３】
さらに、本実施例では、店（Ｂ〜Ｄ）情報端末４ａ〜４ｃに対する希望の条件入力が自由なフォーマットであるため、ユーザＡ独自の考えを店（Ｂ〜Ｄ）情報端末４ａ〜４ｃ側へ伝えることができる。
【００３４】
さらにまた、本実施例では、店（Ｂ〜Ｄ）情報端末４ａ〜４ｃからの広告情報の公開とともに、他店の広告情報も公開されるので、それら競合する他店よりも優位な広告情報へ変化させることも可能である。
【００３５】
図５は本発明の他の実施例による店検索システムの構成を示すブロック図である。図５において、本発明の他の実施例では、上記の本発明の一実施例のような飲食店に限定したシステムではなく、様々な分野の店（サービス）に関して応用している。つまり、検索システムサーバ３は、グループ分けした情報提供者グループ（Ｂ〜Ｄ）３１〜３３のサーバ登録店Ｂ１，Ｂ２，・・・，Ｃ１，Ｃ２，・・・，Ｄ１，Ｄ２，・・・からの広告情報をユーザの携帯端末２へ提供している。
【００３６】
グループ例としては、以下のようなものが考えられる。第１の例としては、入手が困難なもの（本、機器等）に関して情報提供者が入手可能かどうかの情報、価格情報等を提供してユーザに伝える例がある。第２の例としては、病院業者に応用する例がある。この場合には、病院業者における具体的な治療法等、対応方法等の情報がユーザに提供される。
【００３７】
また、ボランティア要素がある第３の例としては、進路指導、就職活動、悩み相談等に応用する例がある。この第３の例においては、情報提供者の利点として、ユーザが有意義な情報があったと考えた場合、ポイント等を情報提供者へ与えるサービスにも応用することができる。その際、ユーザは、ポイント、過去ログを参照することができ、信頼性等を確認することができる。
【００３８】
図６は本発明の別の実施例による店検索システムの構成を示すブロック図である。本発明の別の実施例では、Ｐｏｃ（Ｐｕｓｈ  ｔｏ  ｔａｌｋ  ｏｖｅｒ  ｃｅｌｌｕｌａｒ）サービスを利用するようにした以外は上述した本発明の一実施例と同様である。このＰｏｃサービスは図４のａ６の処理において広告情報を見る際に利用される。
【００３９】
図６において、本発明の別の実施例による店検索システムは検索システムサーバ３と、ユーザの携帯端末（ＭＳ：Ｍｏｂｉｌｅ  Ｓｔａｔｉｏｎ）１１と、Ｐｏｃサーバ１２と、プレゼンスサーバ１３と、ＧＬＭＳ（Ｇｒｏｕｐ  ａｎｄ  Ｌｉｓｔ  Ｍａｎａｇｅｍｅｎｔ  Ｓｅｒｖｅｒ）１４とから構成されている。
【００４０】
Ｐｏｃサーバ１２は携帯端末（ＭＳ）１１、検索システムサーバ３の画像、テキストデータを管理し、携帯端末（ＭＳ）１１、検索システムサーバ３それぞれのデータを送受信する。プレゼンスサーバ１３は携帯端末（ＭＳ）１１のユーザ情報データベースであり、Ｐｏｃサーバ１２にユーザの情報［プレゼンス情報（例えば、情報を受けられる状態かどうか等のユーザの状態情報）］を送信する。
【００４１】
ＧＬＭＳ１４は、同一グループ内の他ユーザ情報データベースであり、携帯端末（ＭＳ）１１に、同一グループ内のユーザ情報（グループ情報）を送る。また、携帯端末（ＭＳ）１１はＰｏＣサーバ１２に対して、グループ内の現在位置データ及び希望条件情報を送信する作業を行う。これを行うことによって、ユーザは携帯端末（ＭＳ）１１の画面上で、リアルタイムに店の広告情報のやりとりを閲覧することができる。
【図面の簡単な説明】
【００４２】
【図１】本発明の一実施例による店検索システムの構成を示すブロック図である。
【図２】図１の携帯端末の構成例を示すブロック図である。
【図３】図１の携帯端末と検索システムサーバとの接続状態を示すブロック図である。
【図４】本発明の一実施例による店検索システムの動作を示すシーケンスチャートである。
【図５】本発明の他の実施例による店検索システムの構成を示すブロック図である。
【図６】本発明の別の実施例による店検索システムの構成を示すブロック図である。
【符号の説明】
【００４３】
１  ＧＰＳ衛星
２  携帯端末
３  検索システムサーバ
４ａ〜４ｃ  店（Ｂ〜Ｄ）情報端末
５  基地局
６  パケット網ゲートウェイ
１１  携帯端末（ＭＳ）
１２  Ｐｏｃサーバ
１３  プレゼンスサーバ
１４  ＧＬＭＳ
２１  ＣＰＵ
２２  ＲＯＭ
２３  ＲＡＭ
２４  操作部
２５  表示部
２６  位置情報データ部
２７  無線部
３１〜３３  情報提供者グループ（Ｂ〜Ｄ）
１００  インタネット
２００  パケット網
２６１  ＧＰＳ無線部
２６２  ＧＰＳデコーダ部
Ｂ１，Ｂ２，
Ｃ１，Ｃ２，
Ｄ１，Ｄ２  サーバ登録店
【図１】
2008059103.tif 000003
【図２】
2008059103.tif 000004
【図３】
2008059103.tif 000005
【図４】
2008059103.tif 000006
【図５】
2008059103.tif 000007
【図６】
2008059103.tif 000008